(57)【要約】【課題】靴を立てた状態で並べられ、靴の数に応じて真直ぐ一列に連結する事が出来る。しかも、使用しない時は積み重ねた状態で保管する事が出来る。【解決手段】底壁１から上方に延びる側壁２から形成され、側壁２は、底壁１と接続された方向に曲げられている。側壁２の上辺は、ノコギリ刃状に形成されている滑り止め部３が備えられている。底壁１には連結を可能にする為の突起４及びその突起４を嵌め込む為の突起穴５が形成されている。また、突起４に隣接して積み重ね時に突起４が嵌め込まれていく為の積み重ね用突起穴６が備えられている。【選択図】  図１
2009148387.tif 000002
【特許請求の範囲】
【請求項１】
底壁と、この底壁から上方に延びる側壁とを有する本体を備え、前記側壁は前記底壁に凹状に形成されていることを特徴とする靴立て。
【請求項２】
前記側壁は、V字状又は円弧状に形成されている請求項１に記載の靴立て。
【請求項３】
前記側壁の上端部は、滑り止め部が設けられている請求項１又は２に記載の靴立て。
【請求項４】
前記底壁には、先端側に突起が設けられ、側壁側に間隔を置いて複数個の嵌め込み穴が設けられている請求項１〜３に記載の靴立て。
【請求項５】
前記底壁には、前記突起に隣接して積み重ね用突起穴が設けられている請求項４に記載の靴立て。
【発明の詳細な説明】
【技術分野】
【０００１】
本発明は、玄関等で靴を並べる場合に、靴を立てた状態で並べる事を可能としたもので、場所をとらずに靴を並べる事が出来る。しかも靴の数に応じて連結する事も可能である。この時連結は、真直ぐ一列に連結されるので靴を奇麗に揃えて立てておく事が出来る。これにより靴の置く位置が定まる事になるので靴が整理し易くなる。そして使用しない時は積み重ねられるので多くの保管場所を必要としない。
【背景技術】
【０００２】
通常よく履く靴は玄関の土間に置かれていた。
【０００３】
常に履かない靴は、下駄箱に収納していた。そして、下駄箱が満杯になると一足の靴の上面同士を向き合わせて重ねる靴収納ホルダー（シューゼットと呼ばれている商品もある）を使用する事もあった。
【０００４】
靴の数に応じて積み上げ式組み立て下駄箱を使用していた。
【０００５】
玄関等の壁に直接立て掛けられていた。
【特許文献１】実開平９−２９８
【特許文献２】実用新案登録  ３０９１７０１
【発明の開示】
【発明が解決しようとする課題】
【０００６】
玄関等にそのまま靴を並べると広い場所が必要であり、靴を積み重ねると場所を取らないが靴が汚れたり凹んだりする事があった。
【０００７】
玄関で靴を脱いだ時に、定まった位置がないので乱雑に置かれる事が多かった。
【０００８】
すぐに履く靴を下駄箱に入れるのは、面倒な事である。
【０００９】
靴の数は、買うたびに増えていくが下駄箱の収納スペースは限られている。
【００１０】
靴収納ホルダーは、下駄箱の収納スペースの高さが低いとハイヒール等の踵の高い靴は収納出来なかった。
【００１１】
積み上げ式組み立て下駄箱は本体自体がかさばるうえ、転倒の危険や自分の顔の高さまで靴が置かれていると違和感があり、上に積み上げるにも限度があった。
【００１２】
玄関等の壁に直接立て掛けておくと場所を取らないが、立て掛けた時に壁が汚たり、靴が横に広がって倒れる事があった。また、壁に靴を立て掛けた時に靴を重ねて立て掛けていくと靴が汚たり凹んでしまったりしていた。しかも、壁の表面積にしか立て掛ける事は出来なかった。
【課題を解決するための手段】
【００１３】
本発明の請求項１に記載の靴立てでは、底壁とこの底壁から上方に延びる側壁とを有する本体を備え、前記側壁は前記底壁に凹状に形成されている。
【００１４】
本発明の請求項２に記載の靴立てでは、側壁は、V字状又は円弧状に形成されている。
【００１５】
本発明の請求項３に記載の靴立てでは、側壁の上端部は、滑り止め部が設けられている。
【００１６】
本発明の請求項４に記載の靴立てでは、底壁には、先端側に突起が設けられ、側壁側に間隔を置いて複数個の嵌め込み穴が設けられている。
【００１７】
本発明の請求項５に記載の靴立てでは、底壁には、前記突起に隣接して積み重ね用突起穴が設けられている。
【発明の効果】
【００１８】
本発明の請求項１〜３の靴立てによれば、靴を立てて置くことが可能となるので広い靴置き場を必要としない。しかも立てた靴は倒れにくく、ハイヒールのような踵の高い靴も立てる事が可能である。
【００１９】
本発明の請求項４の靴立てによれば、本体同士を連結する事が出来るので、靴の数に応じて連結の数を増減する事が出来る。しかも本体は、真直ぐ一列に連結されるので靴を奇麗に揃えて立てておく事が出来る。
【００２０】
本発明の請求項５の靴立てによれば、使用しない時は密着した状態で積み重ねられるので広い保管の場所も必要としない。
【００２１】
本発明品は、靴一足につき本発明品を一個使用する事になるので、それぞれの靴の置く位置が定まる事になるので靴が脱ぎっぱなしになる事が少なくなる。
【００２２】
本発明品を使用して靴を立て掛けていくと、底壁には靴の先端部分が置かれ、側壁には靴の踵が乗った状態となり、本体は靴で隠れる事となり玄関等の美観を悪くする事は無く、本体を設置した事による余分のスペースは発生しない。
【００２３】
靴を立て掛けた状態で上方向から見ると、それぞれの靴の後ろ部分が見えているので必要な靴がどれかすぐわかるので取り出し易い。
【００２４】
本体の連結は底壁だけが重なり合って連結されている為に、本発明品を使用して靴を立て掛けた時に、上及び横のどの方向からも靴が取り出す事が可能であり、同じようにどの方向からも靴を立て掛ける事が可能である。
【発明を実施するための最良の形態】
【００２５】
以下、図面を参照しながら本発明を説明する。
【実施例１】
【００２６】
図１が示すように、底壁１から上方に延びる側壁２が形成されており、図４、図６が示すように本発明を使用して靴を立て掛けた場合に、靴の重さで底壁１を押さえる事により、本体が側壁２の方向に倒れるのを防止している。そして、立て掛けた靴を側壁２が支えている。このとき側壁２の高さは一般的な靴の長さより短くしておくと、靴の踵部分が側壁２の滑り止め部３に掛かり靴が横に広がって倒れるのを防止するので靴は立て掛け易くなる。
【００２７】
図１が示すように、側壁２は底壁１との接続方向に広角なV字型又は円弧上に曲げられている。これは、立て掛けた靴を支える側壁２の強度を増やすと共に、立て掛けた靴が横に広がって倒れるのを防止している。そして側壁２をV字型に形成する場合に、内角を１４０度前後に形成すると左右の靴が立て掛け易く強度も得られる。
【００２８】
図１、図４、図６、図７、図８、が示すように側壁２の上端部にはノコギリ刃状に形成された滑り止め部３を備えている。これにより、立て掛けた靴の踵の裏面が滑り止め部３に引っ掛かり横に広がって倒れるのを防止すると共に、立て掛けた靴が底壁１の先端側にずれ落ちて通常に置かれている状態になるのも防止している。また、図７が示すように小さな靴の場合に、この側壁２の上辺の滑り止め部３に、靴の踵部分を乗せて靴がぶら下がった状態にする事も可能である。さらに、図８が示すようにハイヒール等を立て掛ける場合には、踵部分が棒状で高いので側壁２にハイヒール等を立て掛けるは困難となる。そこで、側壁２の上端部の滑り止め部３はノコギリ刃状に形成されている事により、ハイヒール等の棒状の踵部分を滑り止め部３に乗せると踵部分がノコギリ刃状に入り込みハイヒール等の踵が棒状で高い靴も立て掛ける事が可能となる。
【００２９】
本体を連結して使用する場合は、図１、図２、図５、図９が示すように、底壁１には、突起４及び前記突起４が嵌め込まれる突起穴５が形成されている事により、底壁１の突起４に次に連結する本体の底壁１の突起穴５を嵌め込む事で連結される。このとき突起４及び前記突起４が嵌め込まれる突起穴５が円形では連結された本体同士が回転して動くので突起４及び突起穴５は角型に形成されている。これにより連結された本体同士が動く事無く真直ぐ一列に連結して使用する事が可能となり、靴を奇麗に一列に整列して立て掛ける事が出来る。また突起４と突起穴５は底壁１の中央に配列する事により、底壁１が側壁２と接続されている部分まで突起穴５を形成する事が可能となり、連結の間隔をより広げる事を可能としている。
【００３０】
突起４は、高さが高いと折れてしまう事があり、短いと連結が簡単に外れる事があるのでその両方を満たす高さが必要となる。この事から、突起４の高さは底壁１の厚みの二倍程度が最良と考えられる。また突起４の厚みは使用しない時に本体同士が密着した状態で斜め方向にずれて積み重ねる為に側壁２と同じ厚みとする必要がある。そして強度を増す為に可能な限り大きくしかも連結時に動かないように角型に形成する為に長方体としている。この為突起穴５も前記突起４が嵌め込み可能な長方形を形成している。
【００３１】
図１、図２、図９が示すように、突起穴５は複数個あるので、靴のおおきさにより連結位置を変える事が出来る。この時、図９が示すように連結の幅を短くした場合に突起４が二番目に連結した本体の底壁１を突き出て三番目に連結する本体の底壁に当たる事になるが、突起穴５の位置は等間隔に離して形成してあるので二番目に連結した本体の底壁１の突起穴５を突き出た突起４は三番目に連結した本体の底壁１の突起穴５に嵌め込まれる。
【００３２】
図２及び図５が示すように本体の連結方法は、底壁１だけが重なり合って連結されている為に、立て掛けられた靴は上及び横方向から自由に取り出す事が出来る。また同様に靴を立て掛ける時も上及び横方向から自由に出来る。
【００３３】
図３、図１０が示すように本体は、使用しない時に本体同士が密着した状態で積み重ねる事ができる。これは、本体は底壁１とこの底壁１から上方向に延びている側壁２で形成されており、その側壁２は底壁１方向に広角なV字型に曲げられて形成されており、積み重ねは時に突起４は積み重ね用突起穴６に次々嵌め込まれていくからである。積み重ね用突起穴６のおおきさは、突起４の高さと底壁１の厚みにより決まっており、突起４の高さが底壁１の厚みの何枚分の高さかを測りその枚数分の突起４が嵌め込まれるおおきさに形成されている。これにより、本発明品を使用しない時に積み重ねる場合に突起４が底壁１の底に当たる事無く次々に積み重ね用突起穴６に嵌め込まれていく。
【００３４】
図４、図５が示すように、底壁１の横幅は一般的な靴と同じ程度とし、側壁２の高さは一般的な靴を立てた時の高さより低く形成されている。これにより、本発明を使用して靴を立て掛けた場合に、底壁１には靴の先端部分が置かれ、その空いたスペースには次に連結される底壁１が重なっていく事になる。また、側壁２は靴の踵が乗った状態となり、本体は靴で隠れた状態になるので玄関等の美観を悪くする事は無く、本体を設置する為の余分のスペーを必要としない。
【実施例２】
【００３５】
図１１が示すように、V字状又は円弧状に形成された側壁２の延長状に完全に靴が横に倒れるのを防止する為の壁を備える。またこの壁と側壁２との接続角度を９０度より広げる事により本発明品を使用しない時に本体を積み重ねる事が可能となる。
【実施例３】
【００３６】
図１２が示すように、側壁２の上端部に設けられた滑り止め部３をノコギリ刃状に形成せずに、側壁２の左右に靴の踵部分を載せる為のV字形の窪みを形成する。
【図面の簡単な説明】
【００３７】
【図１】本発明の斜視図
【図２】連結状態を示す斜視図
【図３】積み重ね状態を示す斜視図
【図４】使用状態を示す斜視図
【図５】連結使用状態を示す斜視図
【図６】使用状態を示す側面図
【図７】使用状態を示す側面図
【図８】使用状態を示す側面図
【図９】連結状態を示す断面図
【図１０】積み重ね状態を示す断面図
【図１１】他の実施例を示す斜視図
【図１２】他の実施例を示す斜視図
【符号の説明】
【００３８】
１  底壁
２  側壁
３  滑り止め部
４  突起
５  突起穴
６  積み重ね用突起穴
【図１】
2009148387.tif 000003
【図２】
2009148387.tif 000004
【図３】
2009148387.tif 000005
【図４】
2009148387.tif 000006
【図５】
2009148387.tif 000007
【図６】
2009148387.tif 000008
【図７】
2009148387.tif 000009
【図８】
2009148387.tif 000010
【図９】
2009148387.tif 000011
【図１０】
2009148387.tif 000012
【図１１】
2009148387.tif 000013
【図１２】
2009148387.tif 000014